【手続補正書】
【提出日】平成18年8月10日(2006.8.10)
【手続補正１】
【補正対象書類名】特許請求の範囲
【補正対象項目名】全文
【補正方法】変更
【補正の内容】
【特許請求の範囲】
【請求項１】
映像表示素子に表示された画像を拡大投影する投写光学ユニットを有する投写型カラー映像表示装置において、映像表示素子の正立した拡大像を形成するための再結像光学系を用いたことを特徴とする投写型カラー映像表示装置。
【請求項２】
映像表示素子に表示された画像を拡大投影する投写光学ユニットを有する投写型カラー映像表示装置において、映像表示素子から拡大像までの光路の間に配置された、第１の拡大像を形成するための、正の屈折力を持つ第１投写光学ユニットと、
該第１投写光学ユニットの拡大像側に位置し、前記第１投写光学ユニットによって得られた第１の拡大像を更に拡大して第２の拡大像を形成するための、正の屈折力を持つ第２投写光学ユニットと、
を備え、前記第１の拡大像が前記第２投写光学ユニットよりも映像表示素子側において結像することを特徴とする投写型カラー映像表示装置。
【請求項３】
前記該第１の拡大像の倍率Ｍ１が、前記第２の拡大像の倍率Ｍ２より小さいことを特徴とする請求項２に記載の投写型カラー映像表示装置。
【請求項４】
該第２投写光学ユニット全体を光軸方向に移動させることで、投写距離と投写サイズを変更することを特徴とする請求項３に記載の投写型カラー映像表示装置。
【請求項５】
第２投写光学ユニット全体を光軸方向に移動させる構造体を有することを特徴とする請求項４記載の投写型カラー映像表示装置。
【請求項６】
映像表示素子に表示された画像を拡大投影する投写光学ユニットを有する投写型カラー映像表示装置において、映像表示素子から拡大像までの光路の間に配置された、
該映像表示素子の第１の拡大像を形成する第１投写光学ユニットの光軸に対する、該第１の拡大像を更に拡大する第２投写光学ユニットの光軸の、偏心量を変えても、投写光学ユニット全体の光学性能の変化が小さいことを特徴とする投写型カラー映像表示装置。
【請求項７】
該第１投写光学ユニットの光軸と、該第２投写光学ユニットの光軸の、偏心量を可変できる構造体を有することを特徴とする請求項６記載の投写型カラー映像表示装置。
【請求項８】
映像表示素子に表示された画像を拡大投影する投写光学ユニットを有する投写型カラー映像表示装置において、映像表示素子から拡大像までの光路の間に配置された、
第１の拡大像を形成するための、正の屈折力を持つ第１投写光学ユニットと、
該第１投写光学ユニットの拡大像側に位置し、前記第１投写光学ユニットによって得られた第１の拡大像を更に拡大して第２の拡大像を形成するための、正の屈折力を持つ第２投写光学ユニットと、
を備え、該第１投写光学ユニットと、該第２投写光学ユニットは、その組合せを変えて全体としての投写光学ユニットを構成できることを特徴とする投写型カラー映像表示装置。
【請求項９】
前記第１投写光学ユニット全体、もしくはその一部のレンズ素子を交換可能に構成したことを特徴とする請求項８記載の投写型カラー映像表示装置。
【請求項１０】
前記第２投写光学ユニット全体、もしくはその一部のレンズ素子を交換可能に構成したことを特徴とする請求項９記載の投写型カラー映像表示装置。
【請求項１１】
映像表示素子に表示された画像を拡大投影する投写光学ユニットを有する投写型カラー映像表示装置において、映像表示素子から拡大像までの光路の間に配置された、
第１の拡大像を形成するための、正の屈折力を持つ第１投写光学ユニットと、
該第１投写光学ユニットの拡大像側に位置し、前記第１投写光学ユニットによって得られた第１の拡大像を更に拡大して第２の拡大像を形成するための、正の屈折力を持つ第２投写光学ユニットと、
を備え、該記第１投写光学ユニットに、該投写光学ユニット全体のＦ値を規定する開口絞りを設けたことを特徴とする投写型カラー映像表示装置。
【請求項１２】
映像表示素子に表示された画像を拡大投影する投写光学ユニットを有する投写型カラー映像表示装置において、映像表示素子から拡大像までの光路の間に配置された、
第１の拡大像を形成するための、正の屈折力を持つ第１投写光学ユニットと、
該第１投写光学ユニットの拡大像側に位置し、前記第１投写光学ユニットによって得られた第１の拡大像を更に拡大して第２の拡大像を形成するための、正の屈折力を持つ第２投写光学ユニットと、
を備え、該第２投写光学ユニットに、該投写光学ユニットのＦ値に相当する開口絞りが存在しないことを特徴とする投写型カラー映像表示装置。
【請求項１３】
映像表示素子から拡大像までの光路に、前記画像の光の進行方向に沿って順に配置された、
正の屈折力を有する第１投写光学ユニット、及び
該第１投写光学ユニットによって得られた第１の拡大像を更に拡大するための正の屈折力を有する第２投写光学ユニット、を備え、
該第１投写光学ユニットは映像表示素子側と、該第１の拡大像側にほぼテレセントリックな関係にあり、前記第１の拡大像が第２投写光学ユニットよりも映像表示素子側において結像することを特徴とする投写型カラー映像表示装置。
【請求項１４】
映像表示素子から拡大像までの光路に、前記画像の光の進行方向に沿って順に配置された、
正の屈折力を有する第１ 投写光学ユニット、及び
該第１投写光学ユニットによって得られた第１の拡大像を更に拡大するための正の屈折力を有する第２投写光学ユニット、を備え、
該第２投写光学ユニットは該第１の拡大像側にほぼテレセントリックな関係にあり、前記第１の拡大像が第２投写光学ユニットよりも映像表示素子側において結像することを特徴とする投写型カラー映像表示装置。
【請求項１５】
映像表示素子に表示された画像をスクリーン上に拡大投影する投写光学ユニットにおいて、スクリーン側から順に、第１レンズ群、第２レンズ群、第３レンズ群が配置され、前記第１レンズ群は負の屈折力を有し、前記第２レンズ群は正の屈折力を有し、前記第３レンズ群は正の屈折力を有し、かつ中心が映像表示素子側に対し凸の形状を有し、周辺は凹の形状を有するレンズエレメントを含む投写光学ユニットを備えることを特徴とする投射型カラー映像表示装置。
【請求項１６】
映像表示素子に表示された画像をスクリーン上に拡大投影する投写光学ユニットにおいて、スクリーン側から順に、第１レンズ群、第２レンズ群、第３レンズ群が配置され、下記条件を満たす投写光学ユニットを備えることを特徴とする投射型カラー映像表示装置。
Ｔ２-３ ＞  （Ｄ２Ｉ+Ｄ３Ｏ）/2
ただし、Ｔ２-３：第２レンズ群と第3レンズ群の間隔距離
Ｄ２Ｉ：第２レンズ群入射側有効径
Ｄ３Ｏ：第３レンズ群出射側有効径
【請求項１７】
映像表示素子に表示された画像をスクリーン上に拡大投影する投写光学ユニットにおいて、スクリーン側から順に、第1レンズ群、第２レンズ群、第３レンズ群が配置され、下記条件を満たす投写光学ユニットを備えることを特徴とする投射型カラー映像表示装置。
−２．２ ＜ ｆ0/ｆ１ ＜ −１．５ 
０．６ ＜ ｆ0/ｆ２ ＜  ０．９ 
０．３ ＜ ｆ0/ｆ３ ＜  ０．４ 
ただし、ｆ０：全系の焦点距離
ｆ１：第１レンズ群全系の焦点距離
ｆ２：第２レンズ群全系の焦点距離
ｆ３：第３レンズ群全系の焦点距離
【請求項１８】
映像表示素子に表示された画像をスクリーン上に拡大投影する投写光学ユニットにおいて、スクリーン側から順に、第１レンズ群、第２レンズ群、第３レンズ群が配置され、前記第１レンズ群は負の屈折力を有し、前記第２レンズ群は正の屈折力を有し、前記第３レンズ群は正の屈折力を有し、かつ中心が映像表示素子側に対し凸の形状を有し、周辺は凹の形状を有するレンズエレメントを含む投写光学ユニットを備えることを特徴とする背面投写型カラー映像表示装置。
【請求項１９】
映像表示素子に表示された画像をスクリーン上に拡大投影する投写光学ユニットにおいて、スクリーン側から順に、第１レンズ群、第２レンズ群、第３レンズ群が配置され、下記条件を満たす投写光学ユニットを備えることを特徴とする背面投射型カラー映像表示装置。
Ｔ２-３ ＞  （Ｄ２Ｉ+Ｄ３Ｏ）/2
ただし、Ｔ２-３：第２レンズ群と第3レンズ群の間隔距離
Ｄ２Ｉ：第２レンズ群入射側有効径
Ｄ３Ｏ：第３レンズ群出射側有効径
【請求項２０】
映像表示素子に表示された画像をスクリーン上に拡大投影する投写光学ユニットにおいて、スクリーン側から順に、第1レンズ群、第２レンズ群、第３レンズ群が配置され、下記条件を満たす投写光学ユニットを備えることを特徴とする背面投射型カラー映像表示装置。
−２．２ ＜ ｆ0/ｆ１ ＜ −１．５ 
０．６ ＜ ｆ0/ｆ２ ＜  ０．９ 
０．３ ＜ ｆ0/ｆ３ ＜  ０．４ 
ただし、ｆ０：全系の焦点距離
ｆ１：第１レンズ群全系の焦点距離
ｆ２：第２レンズ群全系の焦点距離
ｆ３：第３レンズ群全系の焦点距離
【請求項２１】
映像表示素子に表示された画像を拡大投影する投写光学ユニットにおいて、映像表示素子の正立した拡大像を形成するための再結像光学系を用いたことを特徴とする投写光学ユニット。
【請求項２２】
映像表示素子に表示された画像を拡大投影する投写光学ユニットにおいて、映像表示素子から拡大像までの光路の間に配置された、
第１の拡大像を形成するための、正の屈折力を持つ第１投写光学ユニットと、
該第１投写光学ユニットの拡大像側に位置し、前記第１投写光学ユニットによって得られた第１の拡大像を更に拡大して第２の拡大像を形成するための、正の屈折力を持つ第２投写光学ユニットと、
を備え、前記第１の拡大像が前記第２ 投写光学ユニットよりも映像表示素子側において結像することを特徴とする投写光学ユニット。
【請求項２３】
映像表示素子に表示された画像を拡大投影する投写光学ユニットにおいて、映像表示素子から拡大像までの光路の間に配置された、
該映像表示素子の第１の拡大像を形成する第１投写光学ユニットの光軸に対する、該第１の拡大像を更に拡大する第２投写光学ユニットの光軸の、偏心量を変えても、投写光学ユニット全体の光学性能の変化が小さいことを特徴とする投写光学ユニット。
【手続補正２】
【補正対象書類名】明細書
【補正対象項目名】発明の名称
【補正方法】変更
【補正の内容】
【発明の名称】投射光学ユニット、投射型カラー映像表示装置、及び背面投射型カラー映像表示装置